(57)【要約】      （修正有）【課題】表面光沢や発色性の良い模様や色彩等の絵柄が付与された新規な外用貼付剤の支持体構造、及び、支持体構造を用いた外用貼付剤を提供する。【解決手段】外用貼付剤の支持体構造１として、不織布からなる支持体本体２と、前記支持体本体２の一面側に積層されたポリエチレン製の第一フィルム層３と、前記第一フィルム層３の表面に印刷された印刷層４と、印刷層４を覆うようにして積層されたポリエチレン製の第二フィルム層５と、を具備する多層構造を構築する。【選択図】図１
0003220363.tif 000002
【実用新案登録請求の範囲】
【請求項１】
皮膚表面に貼付されて使用される外用貼付剤の支持体構造であって、
不織布からなる支持体本体と、
前記支持体本体の一面側に積層されたポリエチレン製の第一フィルム層と、
前記第一フィルム層の表面に印刷された印刷層と、
前記印刷層を覆うようにして積層されたポリエチレン製の第二フィルム層と、
を具備してなることを特徴とする支持体構造。
【請求項２】
請求項１に記載の支持体構造において、
前記第一フィルム層及び前記第二フィルム層の厚さが、３０μｍ以下となされた支持体構造。
【請求項３】
請求項１又は２に記載の支持体構造において、
前記第一フィルム層の表面が、コロナ処理の施された表面性状を有する支持体構造。
【請求項４】
請求項１ないし３のいずれか１項に記載の支持体構造において、
前記第二フィルム層の表面が、鏡面処理の施された表面性状を有する支持体構造。
【請求項５】
請求項１ないし４のいずれか１項に記載の支持体構造において、
前記印刷層が、金属光沢色の単色刷りによるものとなされた支持体構造。
【請求項６】
請求項１ないし５のいずれか１項に記載の支持体構造を用いた外用貼付剤であって、
前記支持体本体の他面側に基剤が担持されてなることを特徴とする外用貼付剤。
【考案の詳細な説明】
【技術分野】
【０００１】
本考案は、皮膚表面に貼着されて使用される外用貼付剤の支持体構造、前記支持体構造を用いた外用貼付剤に関する。
【背景技術】
【０００２】
外用貼付剤は、皮膚表面に貼付されることによって、皮膚表面に冷感や温感を与えたり、基剤層中に含まれる有効成分を経皮吸収的に投与したりするものである。
【０００３】
前記外用貼付剤としては、不織布、樹脂シート又は樹脂フィルムからなるシート状の支持体に液状の基剤を含侵させたものや、前記支持体の片面にクリーム状、軟膏状、或いはゲル状の基剤層が積層されたものが一般的である。
【０００４】
最近では、支持体の他面に隈取模様を施すことにより、独自の美観が付与された外用貼付剤（美容パック材）も開発されている（例えば、下記特許文献１参照。）。
【先行技術文献】
【特許文献】
【０００５】
【特許文献１】特開２０１５‐１５９８４２号公報
【考案の概要】
【考案が解決しようとする課題】
【０００６】
前記特許文献１の美容パック材では、水分に含侵させた際に支持体に印刷された隈取模様が溶出しないように、油性のグラビアインキにて隈取模様を印刷している。しかしながら、柔軟性が高く、表面に細かな凹凸がある支持体の表面に印刷された模様は、ひび割れやかすれ等を生じ易い。
【０００７】
本考案は前記技術的課題に鑑みて開発されたものであり、表面光沢や発色性の良い模様や色彩等の絵柄が付与された新規な外用貼付剤の支持体構造、及び、前記支持体構造を用いた外用貼付剤を提供することを目的とする。
【課題を解決するための手段】
【０００８】
前記技術的課題を解決するための本考案の支持体構造は、皮膚表面に貼付されて使用される外用貼付剤の支持体構造であって、不織布からなる支持体本体と、前記支持体本体の一面側に積層されたポリエチレン製の第一フィルム層と、前記第一フィルム層の表面に印刷された印刷層と、前記印刷層を覆うようにして積層されたポリエチレン製の第二フィルム層と、を具備してなることを特徴とする（以下、「本考案支持体構造」と称する。）。
【０００９】
前記本考案支持体構造においては、前記第一フィルム層及び前記第二フィルム層の厚さが、３０μｍ以下となされたものが好ましい態様となる。
【００１０】
前記本考案支持体構造においては、前記第一フィルム層の表面が、コロナ処理の施された表面性状を有するものが好ましい態様となる。
【００１１】
前記本考案支持体構造においては、前記第二フィルム層の表面が、鏡面処理の施された表面性状を有するものが好ましい態様となる。
【００１２】
前記本考案支持体構造においては、前記印刷層が、金属光沢色の単色刷りによるものとなされたものが好ましい態様となる。
【００１３】
前記技術的課題を解決するための本考案の外用貼付剤は、前記本考案支持体構造を用いた外用貼付剤であって、前記支持体本体に基剤が担持されてなることを特徴とする（以下、「本考案貼付剤」と称する。）。
【考案の効果】
【００１４】
本考案によれば、独自の美観が付与された外用貼付剤を提供することができる。
【図面の簡単な説明】
【００１５】
【図１】図１（ａ）は、本考案支持体構造の一実施形態を示す正面図であり、図１（ｂ）は、前記本考案支持体構造の拡大断面図である。
【図２】図２（ａ）は、包装袋に封入された本考案外用貼付剤の一実施形態を示す正面図であり、図２（ｂ）は、前記本考案外用貼付剤を包装袋から取り出す様子を示す斜視図である。
【図３】図３（ａ）は、本考案外用貼付剤の別の実施形態を示す正面図であり、図３（ｂ）は前記本考案外用貼付剤の拡大断面図である。
【考案を実施するための形態】
【００１６】
以下、本考案の実施形態を説明するが、本考案はこれらの実施形態に限定されるものではない。
【００１７】
＜本考案支持体構造（１）＞
図１に、本考案支持体構造１の一実施形態を示す。前記本考案支持体構造１は、「支持体本体（２）」と、「第一フィルム層（３）」と、「印刷層（４）」と、「第二フィルム層（５）」と、を具備する。
【００１８】
‐支持体本体２‐
本考案においては、前記支持体本体２として不織布が用いられる。本実施形態においては、前記支持体本体２として、目付４０ｇ／ｍ２の不織布（レーヨン・パルプ９５％／ポリオレフィン５％）を用いた。本実施形態において、前記支持体本体２は、人の顔面に貼付させるための顔型を模した形状にカットされており、目に相当する部分及び口に相当する部分に開口部（２１Ｅ、２１Ｍ）が設けられている。又、顔面に貼付された際に、顔の立体形状に追随し易いように、鼻に相当する部分にＵ字状の切り込み２２Ｎが設けられると共に、外縁の複数個所にくさび状の切り欠き２２Ｓが設けられている。
【００１９】
‐第一フィルム層３‐
前記第一フィルム層３は、前記支持体本体２の一面側に積層されたポリエチレン製のプラスチックフィルムである。本実施形態においては、ポリエチレンを押し出しラミネートによって積層することによって、前記支持体本体２の一面側の全面を前記第一フィルム層（厚さ５μｍ）３にて被覆した。なお、本実施形態においては、前記第一フィルム層３の構築後、前記第一フィルム層３の表面にコロナ処理を施すことによって、前記第一フィルム層３の表面性状を改質し、もって濡れ性や印刷性などを向上している。
【００２０】
‐印刷層４‐
前記印刷層４は、前記第一フィルム層３の表面に印刷された模様や色彩等の絵柄である。前記印刷層４は、前記第一フィルム層３の一部又は全面に付される。本実施形態においては、グラビア印刷にて、前記第一フィルム層３の表面全域に金色の単色刷りを施すことによって前記印刷層４を設けた。
【００２１】
‐第二フィルム層５‐
前記第二フィルム層５は、前記印刷層４を覆うようにして積層されたポリエチレン製のプラスチックフィルムである。本実施形態においては、ポリエチレンを押し出しラミネートによって積層することによって、前記印刷層４の全面を前記第二フィルム層（厚さ１０μｍ）３にて被覆している。なお、本実施形態においては、前記第二フィルム層５の構築後、前記第二フィルム層５の表面にミラーロールによる鏡面処理を施すことによって、前記第二フィルム層５の表面性状を改質し、もって光沢性や平滑性を向上している。
【００２２】
前記構成を有する本考案支持体構造１は、支持体本体２／第一フィルム層３／印刷層４／第二フィルム層５の多層構造となされている。そして、前記本考案支持体構造１は、前記本考案支持体構造１に絵柄を生じさせる前記印刷層４が、前記支持体本体２ではなく、前記第一フィルム層３の表面に印刷されたものであるから、絵柄の発色性が良好となる。特に、本実施形態においては、前記第一フィルム層３の表面が、コロナ処理の施された表面性状を有するため、インキの乗り等の定着性が良く、発色性がより良好となっている。
【００２３】
又、前記本考案支持体構造１は、前記印刷層４の表面が前記第二フィルム層５によって保護されているから、印刷の剥がれやかすれ等が生じ難く、又、色彩の溶出等が好適に防止される。しかも、本実施形態においては、前記第二フィルム層５の表面が、鏡面処理の施された表面性状を有するため、絵柄に光沢性を付与することができる。この光沢性は、前記印刷層４として金色や銀色などの金属光沢色を選択した場合により顕著な美観となって現れる。
【００２４】
更に、前記本考案支持体構造１は、前記印刷層４が前記第一フィルム層３と前記第二フィルム層５との間に挟まれた状態となっているから、前記本考案支持体構造１を折り曲げたりしても、前記印刷層４にひび割れ等が生じ難い。
【００２５】
なお、本実施形態においては、前記支持体本体２として、目付４０ｇ／ｍ２の不織布を用いているが、前記支持体本体２の目付量は特に限定されない。前記支持体本体２は、前記第一フィルム層３や前記第二フィルム層５によって補強されているため、従来の外用貼付剤の支持体として使用されている不織布より目付量の小さいものを用いても強度を確保することができる。前記支持体本体２の目付量としては、２０〜１５０ｇ／ｍ２（より好ましくは、３０〜１００ｇ／ｍ２）とすることが好ましい。
【００２６】
又、本実施形態では前記支持体本体２として、レーヨン・パルプ系不織布を用いたが、前記支持体本体２の素材についても、特に限定されるものではない。本考案においては、例えば、ナイロン、ビニロン、ポリエステル、レーヨン、アセテート、アクリル、ポリエチレン、ポリプロピレン、ポリ塩化ビニル等の人工繊維、綿、麻、絹等の天然繊維から選ばれる１種または２種以上の素材を用いて形成された各種形状の不織布が前記支持体本体２として好適に用いられる。そして、前記支持体本体２の形状は貼付領域の形状に応じて適宜決定することができ、必ずしも人の顔型を模した形状とする必要はない。
【００２７】
更に、本実施形態においては、前記第一フィルム層３及び前記第二フィルム層５につき、押し出しラミネートの手段によって構築しているが、前記第一フィルム層３及び前記第二フィルム層５を構築する手段は、押し出しラミネートに限られず、ポリエチレンフィルムを接着や熱融着などの手段によって積層することによっても構築することができる。但し、前記本考案支持体構造１は、生体に使用することを前提としているため、前記第一フィルム層３及び前記第二フィルム層５の構築にあたり、接着剤等の使用は回避することが好ましい。
【００２８】
又、本実施形態においては、前記第一フィルム層３につき厚さ５μｍ、前記第二フィルム層５につき厚さ１０μｍとしているが、前記第一フィルム層３及び前記第二フィルム層５の厚さは前記本考案支持体構造１の柔軟性を損なわない限り限定されない。前記第一フィルム層３及び前記第二フィルム層５の厚さとしては、３０μｍ以下（より好ましくは、５〜１５μｍ）とすることが好ましい。
【００２９】
ところで、本実施形態においては、グラビア印刷にて、前記第一フィルム層３の表面全域に金色の単色刷りを施すことによって前記印刷層４を設けているが、前記印刷層４は、多色刷りであっても単色刷りであっても良い。
【００３０】
＜本考案貼付剤１０＞
図２に、本考案貼付剤１０の一実施形態を示す。前記本考案貼付剤１０は、前記本考案支持体構造１を用いた外用貼付剤であり、前記支持体本体２に基剤６が担持されたものである。本実施形態においては、図２（ａ）に示すように、前記本考案支持体構造１を液状の基剤（薬液）６と共に袋材１１に封入し、前記支持体本体２に基剤６を含侵させることによって担持させた。図２（ｂ）に示すように、前記本考案貼付剤１０は、前記袋材１１を開放し、その中から前記本考案支持体構造１を取り出して使用する態様となされている。
【００３１】
但し、本考案貼付剤１０は、本考案支持体構造１に液状の基剤６を含侵させたものに限られない。本考案貼付剤１０の別形態としては、図３に示すように、本考案支持体構造１の支持体本体２の他面側に、クリーム状やゲル状の基剤６を積層したものを挙げることができる。
【００３２】
なお、本考案は、その精神又は主要な特徴から逸脱することなく、他のいろいろな形態で実施することができる。そのため、上述の実施例はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【産業上の利用可能性】
【００３３】
本考案は、皮膚表面に貼付されて使用される外用貼付剤として好適に用いられる。
【符号の説明】
【００３４】
１  本考案支持体構造（支持体構造）
２  支持体本体
３  第一フィルム層
４  印刷層
５  第二フィルム層
６  基剤
１０  本考案貼付剤（外用貼付剤）
【図１】
0003220363.tif 000003
【図２】
0003220363.tif 000004
【図３】
0003220363.tif 000005